(57)【要約】【課題】ソケットに接続された状態からメモリカードのみがアダプタ本体から抜き取られることを防止することができるメモリカード用アダプタを提供する。【解決手段】ソケットの複数のコンタクトに電気的に接続される複数の導電部材と、収納凹部１６が設けられ収納凹部１６内に導電部材を保持したハウジング１と、ハウジング１に取り付けられた可動シェル２とを備える。可動シェル２は、ミニＳＤカードＭＳＤのような小型メモリカードが挿抜される挿入口１７をハウジング１の導電部材を保持した部位との間に形成する開位置と挿入口１７を閉じる閉位置との間で回動自在かつ前後にスライド自在となっている。可動シェル２を閉位置から後方へスライドさせると、収納凹部１６の内面に設けられた突起１６ｅとハウジングの後部に設けられた突片９７とがそれぞれ可動シェル２に当接して可動シェル２の回動を禁止する。【選択図】        図１
2004310457.tif 000002
【特許請求の範囲】
【請求項１】
小型メモリカードを装着して、小型メモリカードよりも外形が大きい大型メモリカード用のソケットに小型メモリカードを電気的且つ機械的に接続するためのメモリカード用アダプタであって、小型メモリカードが挿抜されるとともに大型メモリカード用のソケットに挿抜されるアダプタ本体と、アダプタ本体に挿入された小型メモリカードの複数の接続端子に電気的に接続されるとともに、ソケットに装着した際にソケットの複数のコンタクトに電気的に接続される複数の導電部材とを備え、アダプタ本体は、小型メモリカードが収納される収納凹部が設けられ収納凹部内に導電部材を保持したハウジングと、ハウジングとの間に小型メモリカードを挟む可動シェルとを備え、可動シェルは、小型メモリカードが挿抜される挿入口をハウジングの導電部材を保持した部位との間に形成する開位置と挿入口を閉じる閉位置との間で回動自在且つ閉位置から収納凹部の底面に沿ってスライド自在にハウジングに取り付けられ、可動シェルを閉位置からスライドさせることで可動シェルに当接して回動を禁止するロック部をハウジングに設けたことを特徴とするメモリカード用アダプタ。
【請求項２】
可動シェルのハウシングに対するスライド方向に沿った面であってアダプタ本体の外側に露出する面に引掛け部を設けたことを特徴とする請求項１記載のメモリカード用アダプタ。
【請求項３】
ハウジングの小型メモリカードを挟んで可動シェルの反対側に位置する部位に貫通穴を設けたことを特徴とする請求項１記載のメモリカード用アダプタ。
【請求項４】
ハウジングと可動シェルとは、それぞれ可動シェルのスライド方向に沿った面に設けられた軸受穴と軸部との一方を有し、可動シェルは軸部が軸受穴に挿入されることによってハウジングに結合するものであって、軸受穴は可動シェルのスライド方向に長い長穴であることを特徴とする請求項１記載のメモリカード用アダプタ。
【請求項５】
ロック部をハウジングの複数箇所に設けたことを特徴とする請求項１記載のメモリカード用アダプタ。
【請求項６】
小型メモリカードはアダプタ本体に挿入される際の前端部が後端部よりもアダプタ本体への挿抜方向に交差する方向に突出した形状であって、可動シェルとハウジングとの少なくとも一方に、小型メモリカードの挿抜時に小型メモリカードの前端部を避ける逃がし部を設けたことを特徴とする請求項１記載のメモリカード用アダプタ。
【請求項７】
可動シェルのハウジングに対するスライド方向に沿った小型メモリカードの少なくとも１面にロック用切り欠きを設け、ロック用切り欠きに係合する係合突起を可動シェルに設けたことを特徴とする請求項１記載のメモリカード用アダプタ。
【請求項８】
可動シェルは導電性を有する材料からなり、導電部材のうち接地用のコンタクトに接触するものに、少なくとも可動シェルがハウジングのロック部によって回動を禁止されているときに可動シェルのスライド方向に交差する方向から可動シェルに弾接する弾接部を設けたことを特徴とする請求項１記載のメモリカード用アダプタ。
【発明の詳細な説明】
【０００１】
【発明の属する技術分野】
本発明は、小型メモリカードを一回り大きな大型メモリカード用のソケットに接続するためのメモリカード用アダプタに関するものである。
【０００２】
【従来の技術】
従来から、小型メモリカードを一回り大きな大型メモリカード用のソケットに電気的且つ機械的に接続するためのメモリカード用アダプタが提供されている。
【０００３】
大型メモリカードは例えば図９に示すような矩形平板状のＳＤメモリカードＭＣである。ＳＤメモリカードＭＣの挿入時の前側（以下、「後側」と呼ぶ）の端部の裏面には、複数個（ＳＤメモリカードＭＣでは９個）の接続端子（図示せず）が厚さ方向と前後方向とに直交する方向（以下、「左右方向」と呼ぶ）に並べて設けられている。ＳＤメモリカードＭＣの後部には一方の角を落として切り欠き部６１が形成され、左右両端部には、表面側の幅寸法を裏面側の幅寸法よりも大きくする段部６２が設けられている。ＳＤメモリカードＭＣを挿抜自在に接続するソケットへの誤った向きでの挿入は切り欠き部６１と段部６２とによって防止されるようになっている。
【０００４】
ＳＤメモリカードＭＣにおいて切り欠き部６１を形成した一方の側縁にはロック用切り欠き６３が設けられている。ＳＤメモリカードＭＣをソケットに接続した際には、ロック用切り欠き６３が係止されることによってＳＤメモリカードＭＣの脱落が防止されるようになっている。ＳＤメモリカードＭＣにおいて切り欠き部６１を形成した側と反対側の側面には、ライトプロテクトのスイッチＳＷのつまみ６４が露出する凹部６５を設けており、スイッチＳＷのつまみ６４の凹部６５内の移動位置によって、ライトプロテクト状態か否かを示すようになっている。
【０００５】
一方、小型メモリカードは例えば図１０及び図１１に示すようなミニＳＤカードＭＳＤである。ミニＳＤカードＭＳＤはＳＤメモリカードＭＣよりも一回り小さな矩形平板状に形成され、後側の一方の角には切り欠き部５１が設けられている。切り欠き部５１よりも前側の左右両側縁には、それぞれロック用凹所５５が設けられている。また、ミニＳＤカードＭＳＤの裏面の後端部には、複数個（ミニＳＤカードＭＳＤの場合は１１個）の接続端子５３が左右に並べて設けられている。また、ミニＳＤカードの後端部の左右両側には表面の幅寸法を裏面の幅寸法よりも小さくする段部５４が形成されている。
【０００６】
上記のミニＳＤカードＭＳＤをＳＤカードＭＣ用のソケットに接続するには、ミニＳＤカードＭＳＤを保持してソケットに接続されるとともにミニＳＤカードＭＳＤとソケットとを電気的に接続するメモリカード用アダプタが必要となる。なお、この種のメモリカード用アダプタとしては、例えば特許文献１に示されるように、ＰＣカードのソケットに、より小型のメモリカードを接続するためのものが従来より提供されている。
【０００７】
【特許文献１】
特開平１１−３４０５号公報（第３−５頁、第２図）
【０００８】
【発明が解決しようとする課題】
ところで、上述のメモリカード用アダプタにおいては、ミニＳＤカードＭＳＤのロック用凹所５５に係脱自在に係止するロック爪を設け、ロック爪をロック用凹所５５に係止することでメモリカード用アダプタからミニＳＤカードＭＳＤが不用意に抜き取られることがないようにしている。しかしながら、メモリカード用アダプタのカード挿入口からミニＳＤカードが一部露出しているため、ソケットに接続されているメモリカード用アダプタを抜き取る際にミニＳＤカードの前記露出部位を指でつまんでいた場合に、メモリカード用アダプタがソケットから抜けずにミニＳＤカードのみがメモリカード用アダプタから抜き取られてしまうことがあった。このように機器に設けられているソケットにメモリカード用アダプタが接続された状態でミニＳＤカードのみがメモリカード用アダプタから抜き取られてしまうと、機器が動作しなくなったり、あるいはミニＳＤカードに記録されていた必要なデータが消失してしまうといった不具合が発生するおそれがあった。
【０００９】
本発明は上記事情に鑑みて為されたものであり、その目的は、ソケットに接続された状態からメモリカードのみがアダプタ本体から抜き取られることを防ぐことができるメモリカード用アダプタを提供することにある。
【００１０】
【課題を解決するための手段】
請求項１の発明は、小型メモリカードを装着して、小型メモリカードよりも外形が大きい大型メモリカード用のソケットに小型メモリカードを電気的且つ機械的に接続するためのメモリカード用アダプタであって、小型メモリカードが挿抜されるとともに大型メモリカード用のソケットに挿抜されるアダプタ本体と、アダプタ本体に挿入された小型メモリカードの複数の接続端子に電気的に接続されるとともに、ソケットに装着した際にソケットの複数のコンタクトに電気的に接続される複数の導電部材とを備え、アダプタ本体は、小型メモリカードが収納される収納凹部が設けられ収納凹部内に導電部材を保持したハウジングと、ハウジングとの間に小型メモリカードを挟む可動シェルとを備え、可動シェルは、小型メモリカードが挿抜される挿入口をハウジングの導電部材を保持した部位との間に形成する開位置と挿入口を閉じる閉位置との間で回動自在且つ閉位置から収納凹部の底面に沿ってスライド自在にハウジングに取り付けられ、可動シェルを閉位置からスライドさせることで可動シェルに当接して回動を禁止するロック部をハウジングに設けたことを特徴とする。
【００１１】
請求項２の発明は、請求項１の発明において、可動シェルのハウシングに対するスライド方向に沿った面であってアダプタ本体の外側に露出する面に引掛け部を設けたことを特徴とする。
【００１２】
請求項３の発明は、請求項１の発明において、ハウジングの小型メモリカードを挟んで可動シェルの反対側に位置する部位に貫通穴を設けたことを特徴とする。
【００１３】
請求項４の発明は、請求項１の発明において、ハウジングと可動シェルとは、それぞれ可動シェルのスライド方向に沿った面に設けられた軸受穴と軸部との一方を有し、可動シェルは軸部が軸受穴に挿入されることによってハウジングに結合するものであって、軸受穴は可動シェルのスライド方向に長い長穴であることを特徴とする。
【００１４】
請求項５の発明は、請求項１の発明において、ロック部をハウジングの複数箇所に設けたことを特徴とする。
【００１５】
請求項６の発明は、請求項１の発明において、小型メモリカードはアダプタ本体に挿入される際の前端部が後端部よりもアダプタ本体への挿抜方向に交差する方向に突出した形状であって、可動シェルとハウジングとの少なくとも一方に、小型メモリカードの挿抜時に小型メモリカードの前端部を避ける逃がし部を設けたことを特徴とする。
【００１６】
請求項７の発明は、請求項１の発明において、可動シェルのハウジングに対するスライド方向に沿った小型メモリカードの少なくとも１面にロック用切り欠きを設け、ロック用切り欠きに係合する係合突起を可動シェルに設けたことを特徴とする。
【００１７】
請求項８の発明は、請求項１の発明において、可動シェルは導電性を有する材料からなり、導電部材のうち接地用のコンタクトに接触するものに、少なくとも可動シェルがハウジングのロック部によって回動を禁止されているときに可動シェルのスライド方向に交差する方向から可動シェルに弾接する弾接部を設けたことを特徴とする。
【００１８】
【発明の実施の形態】
以下、本発明の実施の形態を図面に基づいて説明する。
【００１９】
本実施形態は、従来例で説明したミニＳＤカードＭＳＤを装着して、図示しないＳＤメモリカードＭＣ用のソケットにミニＳＤカードＭＳＤを電気的且つ機械的に接続するためのメモリカード用アダプタであって、ミニＳＤカードＭＳＤが挿抜されるとともにＳＤメモリカードＭＣ用のソケットに接続される図２に示すアダプタ本体を備える。なお、以下の説明では特に断りがない場合、図２におけるａ−ｂ方向を上下方向、ｃ−ｄ方向を左右方向、ｅ−ｆ方向を前後方向として説明を行う。アダプタ本体は、収納凹部１６を有するハウジング１と、ハウジング１に取り付けられた可動シェル２とからなり、ＳＤメモリカードＭＣと略同じ外形寸法に形成されている。可動シェル２は、図３に示すように後端部がハウジング１から離れるようにハウジング１に対して回動可能となっており、この状態でミニＳＤカードＭＳＤを挿抜することができるようになっている（詳細は後述する）。ハウジング１には、ＳＤメモリカードＭＣのライトプロテクト用のスイッチＳＷに対応したつまみ７が、前後にスライド自在に取り付けられている。
【００２０】
ハウジング１は、板状であって上面に収納凹部１６が設けられたベース８と、ベース８の上面の後側の端部に装着されるカバー９とを備える。ベース８とカバー９との間には、ソケットのコンタクトとアダプタ本体に挿入されたミニＳＤカードＭＳＤと電気的に接続する複数本（本実施形態では９本）の導電部材３ａ〜３ｉ（図４参照）が保持されている。
【００２１】
詳しく説明すると、ベース８は合成樹脂成形品からなり、図４に示すように平面視の形状がＳＤメモリカードＭＣと同様の形状に形成されている。すなわち矩形板状であって、後端部の右側の角を落として切り欠き部８１が設けられ、右側の側縁には切り欠き８３が設けられている。また、ベース８の下面の左右両端には、ＳＤメモリカードＭＣの段部６２に対応した段部１２が設けられている。さらに、ベース８の上面の収納凹部１６の左右に位置する部位には、後側の厚さ寸法を前側の厚さ寸法よりも小さくする段８６が設けられている。カバー９が段８６の後側に取り付けられることにより、カバー９の上面とベース８の段８６よりも前側の部位の上面とが略面一となるようにしてある。
【００２２】
また、収納凹部１６の前端部には左右に長い長円形の貫通穴１６ａが形成されている。収納凹部１６の左端面の後端部には、ミニＳＤカードＭＳＤの切り欠き部５１に対応して収納凹部１６の後部の左右の幅寸法を前部よりも小さくする段１６ｂが設けられ、段１６ｂの前面には突起８７が前方へ突設されるとともに、突起８７の先端にはミニＳＤカードＭＳＤの切り欠き５１の前端の傾斜面に当接する傾斜面８７ａが形成されている。
【００２３】
収納凹部１６の底面にはそれぞれ収納凹部１６の前後方向の中間部から後端部に向かって前後に延びる複数本（図では９本）の溝１６ｃが左右に並べて設けられている。ベース８の後端部には、それぞれ前後に長い矩形状の複数個（図では９個）の貫通穴８８が左右に並べて上下に貫設されている。ここで、貫通穴８８の配列はＳＤメモリカードＭＣの接続端子の配列と同じ配列になっている。
【００２４】
各導電部材３ａ〜３ｉは、それぞれ導電性の良好な金属（例えばリン青銅など）のフープ材に抜き加工及び曲げ加工を施すことによって、一体に連結された状態で形成されている。右端部には９番ピンの導電部材３ｉが配置され、９番ピンの導電部材３ｉの左側に１番ピンから８番ピンまでの導電部材３ａ〜３ｈが順に配置されている。
【００２５】
各導電部材３ａ〜３ｉはそれぞれ、矩形板状の端子片３１と、端子片３１の前端の略中央から前方に延設された幅狭の固定片３２と、一端が固定片３２を介して端子片３１に連結された中央片３３と、中央片３３の他端から下向きに折り曲げられた折曲片３４（図１参照）と、折曲片３４の先端から前方へ延設された接触ばね片３５とを連続一体に形成して構成されている。各端子片３１は、それぞれベース８の貫通穴８８を通して下方に露出している。各接触ばね片３５は、それぞれ前後方向の中間部が上方へ突出するように曲げてあり、前後の端部がベース８の溝に収納されるとともに中間部が収納凹部１６の底面よりも上方へ突出するようになっている。また、接地用のコンタクトに接触する導電部材３ｃ（以下、「接地用の導電部材３ｃ」と呼ぶ）には、上側へＪ字状に曲げられた弾接部３６が設けられている。
【００２６】
カバー９は合成樹脂成形品からなり、図５に示すように、略矩形板状の主部９ａの後端部の右側（図５（ａ）の左側）の角を落として、ＳＤメモリカードＭＣの切り欠き部６１に対応する切り欠き部１１をベース８の切り欠き部８１とともに形成する切り欠き部９１を形成してある。また、カバー９の右側面（図５（ａ）の左側面）の前端部には、ロック用切り欠き６３に対応するロック用切り欠き１３をベース８の切り欠き部８３とともに形成する切り欠き部９３が設けられている。また、カバー９の下面のベース８の貫通穴８８に対応する位置には、複数個（図では９個）の端子片支持台９６が左右に並べて突設されている。端子片支持台９６は、それぞれ導電部材３ａ〜３ｉの端子片３１の上面に当接して端子片３１の上方への移動を禁止するようになっている。また、端子片支持台９６の後側には凹部９６ａが設けられ、端子片３１の後端が凹部９６ａに収納されてベース８の上面との間に挟まれることにより端子片３１の下方への移動は禁止されている（図１参照）。
【００２７】
主部９ａの前端面の左右の端部には、それぞれ腕部９ｂ，９ｃが前方へ突設されている。主部９ａの前端面の腕部９ｂ，９ｃの間には、上面が主部９ａよりも下側に位置して厚み寸法が主部９ａよりも小さく形成された突片９７が突設されている。突片９７の左右方向の中間部には、接地用の導電部材３ｃの弾接部３６を上方へ突出させるための切り欠き９７ａが設けられている。
【００２８】
つまみ７は図６に示すように略直方体形状の操作部７ａと、操作部７ａの一側面の上部から側方に突出する断面Ｔ字型の係止片７ｂとで構成される。係止片７ｂの先端部には、爪７ｃが上下に突設されている。ここで、ベース８の左側の側縁には、切り欠き部８５が設けられている。ベース８の上面の切り欠き部８５の右側には、前後に延びる溝８５ａが設けられている。溝８５ａの底面の前後方向の中間部には、係止突起８５ｂが突設されている。また、カバー９の左側面（図５（ａ）の右側面）には、ベース８の切り欠き部８５とともにつまみ７の操作部７ａを露出させる切り欠き部１５を形成する切り欠き部９５が設けられている。カバー９の切り欠き部９５の右端面の上端部には、主部９ａの上面に沿って突片９５ａが左方へ突設されている。突片９５ａの基部の下面には、前後に延びる溝９５ｂが設けられている。つまみ７は、各爪７ｃがベース８の溝８５ａ内とカバー９の溝９５ｂ内とをそれぞれ移動することによって前後方向に移動可能となっている。また、爪７ｃの前後の端面が係止突起８５ｂと係止することにより、切り欠き部１５内で係止突起８５ｂの前側又は後側の切り換え位置に保持されるようになっており、つまみ７の位置によってライトプロテクトの状態にあるか否かが切り換えられる。
【００２９】
可動シェル２は、導電性を有する金属の薄板に抜き加工及び曲げ加工を施すことにより形成され、図７に示すように矩形板状の主部２ａを有する。主部２ａの前端部には左右に長い長穴である貫通穴２１が上下に貫設されている。主部２ａの左右の側縁の後端部と、左の側縁の前端部とには、それぞれ前側の幅寸法を後側の幅寸法よりも大きくする段２２が設けられている。
【００３０】
主部２ａの左右の端の段２２の前後には、それぞれ前後に延びた側壁２ｂ〜２ｆが下方へ垂設されている。左右の前端部に設けられた側壁２ｂ，２ｅはそれぞれ主部２ａの前端よりも前方へ延設され、これらの側壁２ｂ，２ｅには、撓みを防ぐためにそれぞれ下端部を内側に曲げて形成した補強片２３が設けられている。
【００３１】
また、左右の前端部に設けられた側壁２ｂ，２ｅの前端部には、それぞれ軸部２４が外側へ突設されている。ここで、ベース８の収納凹部１６の左右の端面の前端部には、それぞれ前後に長い軸受穴１６ｄが設けられている。軸部２４が軸受穴１６ｄに挿入されることにより、可動シェル２はハウジング１に取り付けられている。可動シェル２は、軸部２４が軸受穴１６ｄの前端部に位置しているときは、ミニＳＤカードＭＳＤが挿抜される挿入口１７（図１（ａ）参照）をハウジング１の導電部材３ａ〜３ｉを保持した部位との間に形成する開位置と挿入口１７を閉じる閉位置との間でハウジング１に対して回動可能となっている。また、軸受穴１６ｄが前後に長い長穴であることにより、可動シェル２は図８の１点鎖線の下側に示す閉位置と閉位置よりも後方の図８の１点鎖線の上側に示す位置との間で前後にスライド自在になっている。ベース８の収納凹部１６の底面には、可動シェル２のスライド範囲の全体に亙って補強片２３が収納される凹部１６ｆが設けられている。
【００３２】
ここで、ミニＳＤカードＭＳＤのアダプタ本体に挿入される際の前端部は、切り欠き部５１が設けられた後端部よりもアダプタ本体への挿抜方向に交差する方向に突出した形状となっている。さらに、可動シェル２の後端部の左側の側壁２ｄとベース８の収納凹部１６の左後方に位置する部位とは、逆差し防止のために、ミニＳＤカードＭＳＤの切り欠き部５１に入り込むようになっている。従って、ミニＳＤカードＭＳＤを挿入口１７に挿抜する際には、ミニＳＤカードＭＳＤの切り欠き部５１の前側の部位を、ベース８の収納凹部１６の左後方に位置する部位と可動シェル２の後端部の左側の側壁２ｄとの間に通さなければならない。
【００３３】
本実施形態においては、可動シェル２の後端部の左側の側壁２ｄの下端には、側壁２ｄの主部２ａからの突出寸法を前方へ向かって小さくするように傾斜させた傾斜部２６が設けられている。また、カバー９の左側の腕部９ｂの上面の右端部には、前方へ向かってカバー９の厚さ寸法を小さくする傾斜面９８が設けられている。従って、可動シェル２を図１（ａ）に２点鎖線で示す位置まで開くだけで、ミニＳＤカードＭＳＤの切り欠き部５１の前側の部位が避けられ、ミニＳＤカードＭＳＤの挿抜が可能となる。つまり、可動シェル２の傾斜部２６とカバー９の傾斜面９８とが逃がし部となる。この構成により、可動シェル２を大きく開くことなく、ミニＳＤカードＭＳＤの切り欠き部５１の後側の部位を通すことができるから、ミニＳＤカードＭＳＤの挿抜が容易になる。
【００３４】
また、可動シェル２の左側の側壁２ｂ〜２ｄのうち前後方向の中間の側壁２ｃと右側の側壁２ｅ，２ｆのうち前側の側壁２ｅとには、それぞれ係合突起２５が内側へ弾性的に突設されている。ミニＳＤカードＭＳＤの切り欠き５１の前端が可動シェル２の後端部の左側の側壁２ｄの前側に至るまでミニＳＤカードＭＳＤを挿入口１７に挿入してから可動シェル２を閉じると、係合突起２５がミニＳＤカードＭＳＤのロック用凹所５５に係合するようになっている。この構成により、ミニＳＤカードＭＳＤが可動シェル２に保持されるから、ミニＳＤカードＭＳＤを可動シェル２とともに移動させることができる。なお、ミニＳＤカードＭＳＤを装着した状態では、ミニＳＤカードＭＳＤの接続端子５３と導電部材３ａ〜３ｉとの間の摩擦力により、可動シェル２が不用意にスライドすることが防止される。
【００３５】
さらに、可動シェル２の前端部の左右の側壁２ｂ，２ｅと、後端部の左右の側壁２ｄ，２ｆとには、それぞれ後端に切り欠き２７が設けられている。ベース８の収納凹部１６の左右の端面のそれぞれ後端部には、それぞれ収納凹部１６の底面との間に隙間を空けて突起１６ｅが突設されている。また、カバー９の突片９７とベース８の収納凹部１６の底面との間には隙間が形成されている。図１（ｂ）に示すように可動シェル２が閉位置にあるときに、可動シェル２を後方（図１（ｂ）では左方）へスライドさせると、図１（ｃ）に示すようにカバー９の突片９７が後側の各側壁２ｄ，２ｆの切り欠き２７に係入され、ベース８の突起１６ｅが前側の各側壁２ｂ，２ｅの切り欠き２７に係入されることにより、可動シェル２の回動が禁止される。つまり、ベース８の突起１６ｅとカバー９の突片９７とがロック部となる。ロック部が複数箇所に設けられていることにより、１箇所のロック部にかかる力が小さくなるから、ロック部の磨耗や破損が防止されて寿命が延長される。
【００３６】
また、可動シェル２の回動が禁止された状態では、接地用の導電部材３ｃの弾接部３６は可動シェル２の主部２ａの下面に弾接する。この構成によれば、弾接部３６に異物が付着しても、スライドする可動シェル２によってこすり取られるワイピングの効果で除去されるから、接地用の導電部材３ｃと可動シェル２との電気的接続が長期に亙って安定する。
【００３７】
ミニＳＤカードＭＳＤを取り外す際は、可動シェル２を前方にスライドさせ、収納凹部１６の底面に貫設された貫通穴１６ａから指などを挿入してミニＳＤカードＭＳＤを上方へ押せば、容易に可動シェル２を回動させて挿入口１７を開きミニＳＤカードＭＳＤを抜き取ることができる。
【００３８】
なお、可動シェル２を前後にスライドさせる際は、貫通穴２１に手の爪などを引掛けることにより容易に可動シェル２をスライドさせることができる。つまり、可動シェル２の貫通穴２１が引掛け部となる。
【００３９】
上記構成によれば、可動シェル２が挿入口１７を閉じた状態で、ロック部によって可動シェル２の回動が禁止されるから、ソケットに接続された状態からミニＳＤカードＭＳＤのみがアダプタ本体から抜き取られることを確実に防止することができる。また、可動シェル２はハウジング１から取り外されないので、可動シェル２を紛失するおそれがない。
【００４０】
なお、本発明者は同様の課題を解決する発明として、図１２及び図１３に示すメモリカード用アダプタを既に提案している（特願２００３−７４５１０号参照）。このメモリカード用アダプタは、収納凹部１６が設けられたハウジング１と、ミニＳＤカードＭＳＤが挿抜される挿入口１７をハウジング１との間に形成する開位置と挿入口を閉じる閉位置との間で回動自在となるようにハウジング１に枢着された可動シェル２とを有するアダプタ本体を備える。また、ハウジング１には、アダプタ本体に挿入されたミニＳＤカードＭＳＤの複数の接続端子に電気的に接続されるとともに、ソケットに装着した際にソケットの複数のコンタクトに電気的に接続される複数の導電部材３が保持されている。アダプタ本体が機器に接続された状態では、ミニＳＤカードＭＳＤのアダプタ本体からの脱落がハウジング１の収納凹部１６の前側で上方へ突設された突起と可動シェル２とによって防止されている。
【００４１】
しかし、このメモリカード用アダプタでは、導電部材３が挿入口１７の奥に位置しており、ミニＳＤカードＭＳＤの挿入時には、収納凹部１６の底面に対して傾いたミニＳＤカードＭＳＤの端部に導電部材３が押されて必要以上に変形してしまう可能性があり、場合によっては導電部材３にへたりが発生し、寿命が短くなるおそれがあった。
【００４２】
これに対して、本発明では、挿入口１７が可動シェル２と導電部材３ａ〜３ｉとの間に形成されるので、ミニＳＤカードＭＳＤの挿入時にミニＳＤカードＭＳＤの端部が導電部材３ａ〜３ｉを押さないから、導電部材３ａ〜３ｉに不要な変形をさせることがなく、従って導電部材３ａ〜３ｉのへたりが防止され、寿命が短くなることがないものである。
【００４３】
【発明の効果】
請求項１の発明は、小型メモリカードを装着して、小型メモリカードよりも外形が大きい大型メモリカード用のソケットに小型メモリカードを電気的且つ機械的に接続するためのメモリカード用アダプタであって、小型メモリカードが挿抜されるとともに大型メモリカード用のソケットに挿抜されるアダプタ本体と、アダプタ本体に挿入された小型メモリカードの複数の接続端子に電気的に接続されるとともに、ソケットに装着した際にソケットの複数のコンタクトに電気的に接続される複数の導電部材とを備え、アダプタ本体は、小型メモリカードが収納される収納凹部が設けられ収納凹部内に導電部材を保持したハウジングと、ハウジングとの間に小型メモリカードを挟む可動シェルとを備え、また、可動シェルは、小型メモリカードが挿抜される挿入口をハウジングの導電部材を保持した部位との間に形成する開位置と挿入口を閉じる閉位置との間で回動自在且つ閉位置から収納凹部の底面に沿ってスライド自在にハウジングに取り付けられ、可動シェルを閉位置からスライドさせることで可動シェルに当接して回動を禁止するロック部をハウジングに設けたので、挿入口が不用意に開くことがないから、ソケットに接続された状態からメモリカードのみがアダプタ本体から抜き取られることを確実に防止することができる。また、小型メモリカードが挿抜される挿入口がハウジングの導電部材を保持した部位と可動シェルとの間に形成されるので、小型メモリカードの挿入時に導電部材に不要な変形をさせることがなく、従って寿命が短くなることがない。さらに、可動シェルをハウジングから取り外す必要がないので、可動シェルを紛失するおそれがない。
【００４４】
請求項２の発明は、請求項１の発明において、可動シェルのハウシングに対するスライド方向に沿った面であってアダプタ本体の外側に露出する面に引掛け部を設けたので、可動シェルをスライドさせる際に引掛け部に手の爪などを引掛けることができるから、可動シェルをスライドさせる操作が容易になる。
【００４５】
請求項３の発明は、請求項１の発明において、ハウジングの小型メモリカードを挟んで可動シェルの反対側に位置する部位に貫通穴を設けたので、貫通穴から手の指等を挿入して小型メモリカードを押すことができるから、可動シェルを回動させる操作が容易になる。
【００４６】
請求項４の発明は、請求項１の発明の実施態様項であって、請求項１の発明と同様の効果を奏する。
【００４７】
請求項５の発明は、請求項１の発明において、ロック部をハウジングの複数箇所に設けたので、１箇所のロック部にかかる応力が軽減されるから、ロック部の摩耗や破損が防止される。
【００４８】
請求項６の発明は、請求項１の発明において、小型メモリカードはアダプタ本体に挿入される際の前端部が後端部よりもアダプタ本体への挿抜方向に交差する方向に突出した形状であって、可動シェルとハウジングとの少なくとも一方に、小型メモリカードの挿抜時に小型メモリカードの前端部を避ける逃がし部を設けたので、小型メモリカードの挿抜が容易になる。
【００４９】
請求項７の発明は、請求項１の発明において、可動シェルのハウジングに対するスライド方向に沿った小型メモリカードの少なくとも１面にロック用切り欠きを設け、ロック用切り欠きに係合する係合突起を可動シェルに設けたので、小型メモリカードが可動シェルに保持されるから、小型メモリカードを可動シェルとともに移動させることができる。また、小型メモリカードを装着した状態では、小型メモリカードの接続端子と導電部材との間の摩擦力によって、可動シェルが不用意にスライドすることを防止することができる。
【００５０】
請求項８の発明は、請求項１の発明において、可動シェルは導電性を有する材料からなり、導電部材のうち接地用のコンタクトに接触するものに、少なくとも可動シェルがハウジングのロック部によって回動を禁止されているときに可動シェルのスライド方向に交差する方向から可動シェルに弾接する弾接部を設けたので、接地用のコンタクトに接触する導電部材に異物が付着しても、スライドする可動シェルによってこすり取られるワイピングの効果で異物が除去されるから、接地用のコンタクトに接触する導電部材と可動シェルとの電気的接続が長期に亙って安定する。
【図面の簡単な説明】
【図１】本発明の実施形態の動作説明図であり、（ａ）は挿入口を開いた状態を示し、（ｂ）は挿入口を閉じ且つ可動シェルが回動を禁止されていない状態を示し、（ｃ）は挿入口を閉じ且つ可動シェルが回動を禁止された状態を示す。
【図２】同上の可動シェルが回動を禁止された状態を示す斜視図である。
【図３】同上の可動シェルが開位置にある状態を示す斜視図である。
【図４】同上に用いられるベースに導電部材を装着した状態を示す図であり、（ａ）は平面図であり、（ｂ）は要部の左側面図であり、（ｃ）は（ａ）のＥ−Ｆ−Ｇ−Ｈ−Ｉ−Ｊ断面図であり、（ｄ）は（ａ）のＡ−Ｂ−Ｃ−Ｄ断面図である。
【図５】同上に用いられるカバーを示す図であり、（ａ）は下面図であり、（ｂ）は左側面図であり、（ｃ）は背面図であり、（ｄ）は（ａ）のＡ−Ａ断面図である。
【図６】同上に用いられるつまみを示す斜視図である。
【図７】同上に用いられる可動シェルを示す図であり、（ａ）は平面図であり、（ｂ）は右側面図であり、（ｃ）は正面図である。
【図８】同上の動作説明図である。
【図９】大型メモリカードの一例を示す斜視図である。
【図１０】小型メモリカードの一例を示す図であり、（ａ）は平面図、（ｂ）は右側面図、（ｃ）は正面図である。
【図１１】同上を示す図であり、（ａ）は下面図、（ｂ）は背面図である。
【図１２】従来例を示す斜視図である。
【図１３】同上を示す断面図である。
【符号の説明】
１  ハウジング
２  可動シェル
３ａ〜３ｉ  導電部材
１６  収納凹部
１６ａ  貫通穴
１６ｄ  軸受穴
１６ｅ  突起
１７  挿入口
２１  貫通穴
２４  軸部
２５  係合突起
２６  傾斜部
３６  弾接部
９７  突片
９８  傾斜面
ＭＳＤ  ミニＳＤカード
ＭＣ  ＳＤメモリカード
【図１】
2004310457.tif 000003
【図２】
2004310457.tif 000004
【図３】
2004310457.tif 000005
【図４】
2004310457.tif 000006
【図５】
2004310457.tif 000007
【図６】
2004310457.tif 000008
【図７】
2004310457.tif 000009
【図８】
2004310457.tif 000010
【図９】
2004310457.tif 000011
【図１０】
2004310457.tif 000012
【図１１】
2004310457.tif 000013
【図１２】
2004310457.tif 000014
【図１３】
2004310457.tif 000015